(57)【特許請求の範囲】
【請求項１】
かご床と、このかご床に連結される側板とから構成されるエレベータの乗りかごにおいて、
前記かご床の周辺部に前記側板が上方から挿入される床側嵌合部を設け、この床側嵌合部は前記側板よりも僅かに肉厚の位置決めプレートで形成された隙間を備え、この床側嵌合部の前記隙間内に前記側板の下部に設けられた側板側嵌合部を挿入して前記位置決めプレートに当接させることにより前記かご床に対して前記側板の鉛直方向の位置決めをして前記側板を前記床側嵌合部に固定したことを特徴とするエレベータの乗りかご。
【請求項２】
前記床側嵌合部には、下端部近傍まで鉛直方向に形成された切込み部と、前記切込み部上部に略Ｖ字形に形成された開口部とが設けられ、
前記側板には、外側へＬ字状に折曲した折曲片が設けられ、
前記折曲片を前記開口部を案内にして前記切込み部に挿入することにより、前記側板の水平方向の位置決めをすることを特徴とする請求項１に記載のエレベータの乗りかご。
【請求項３】
前記側板を１枚ずつ組み付ける場合であって、前記側板の任意の位置に、床側嵌合部と係合する補強材からなる嵌合部位置決め手段を設けたことを特徴とする請求項１に記載のエレベータの乗りかご。
【請求項４】
前記床側嵌合部に、側板の挿入を案内するための外側に折曲した斜面を有するガイド部を設けたことを特徴とする請求項１〜３のいずれかに記載のエレベータの乗りかご。
【発明の詳細な説明】
【０００１】
【発明の属する技術分野】
この発明は、エレベータ昇降路内で乗りかごを組み立てる組立て構造を改良したエレベータの乗りかごに関する。
【０００２】
【従来の技術】
エレベータの乗りかごは、かご床と、このかご床の両側面及び背面に立設される側板と、側板の上端に設けられる天井板とによってかご室が構成され、このかご室の前部に開閉扉が設けられる。
【０００３】
乗りかごは、建物のエレベータ昇降路内での現場作業によって組み立てられるのが普通であり、従来の乗りかごは、図７及び図８に示すように構成されている。すなわち、かご床１は、複数個の補強部を有し、この床枠２の上面にベニア板などの床板３を介してタイル４が敷設されている。床枠２の側部は略コ字状に形成され、その上面に側板取付け部５が設けられている。この側板取付け部５の上面には複数のボルト孔６が穿設されているとともに、このボルト孔６に対応してナット７が溶接されている。
【０００４】
一方、側板８の下端部には外側にＬ字状に折曲した取付け片８ａが設けられ、この取付け片８ａには前記ボルト孔６に対応して複数のボルト孔９が設けられている。さらに、側板８の両端または片端には外側へＬ字状に折曲した折曲片８ｂが設けられている。
【０００５】
そして、かご床１に対して複数枚の側板８を取付ける際には、側板８の取付け片８ａをかご床１の側板取付け部５に立設し、ボルト孔９をボルト孔６に対して位置決めし、上方からワッシャ１０を有したボルト１１をボルト孔９，６に挿入し、ナット７に螺合する。このとき、ボルト孔９，６の孔径はボルト１１より若干大きく形成されているため、ボルト１１を完全に締め付けず、仮止め状態で、側板８を水平方向に移動して隣り合う側板８の折曲片８ｂ相互を密接する。各側板８の水平方向の位置決めが完了した後、各ボルト１１を完全に締め付けることにより、かご床１に対して側板８を固定している。
【０００６】
【発明が解決しようとする課題】
ところが、前述したように構成されたエレベータの乗りかごは、側板８のボルト孔９を側板取付け部５のボルト孔６に位置決めする際に、上方から覗きながら位置決めする必要があり、しかも位置決め後、ボルト孔９，６にボルト１１を挿入する作業がエレベータ昇降路の狭いスペースでの現場作業となるため、側板８の取付けに時間がかかるという問題がある。さらに、かご床１の上面に側板取付け部５があり、側板８より側板取付け部５が外方へ突出しているために、その分だけエレベータ昇降路の断面積を大きくする必要がある。換言すれば、かご床１の面積の割りにはかご室の容積が小さくなるという事情がある。また、かご床１が側板取付け部５より外方へ突出しているため、かご床１の面積が大きくなり、コストが高いものとなっていた。
【０００７】
この発明は、前記事情に着目してなされたもので、その目的とするところは、かご床に対して側板の位置決め及び取付けが容易に行なえ、組み立て作業性の向上を図ることができるとともに、エレベータ昇降路の断面積を小さくすることができ、低コストのかご床構成としたエレベータの乗りかごを提供することにある。
【０００８】
【課題を解決するための手段】
この発明は、前記目的を達成するために、請求項１は、かご床と、このかご床に連結される側板とから構成されるエレベータの乗りかごにおいて、前記かご床の周辺部に前記側板が上方から挿入される床側嵌合部を設け、この床側嵌合部は前記側板よりも僅かに肉厚の位置決めプレートで形成された隙間を備え、この床側嵌合部の前記隙間内に前記側板の下部に設けられた側板側嵌合部を挿入して前記位置決めプレートに当接させることにより前記かご床に対して前記側板の鉛直方向の位置決めをして前記側板を前記床側嵌合部に固定したことを特徴とする。
【０００９】
前記構成によれば、側板を上方から床側嵌合部に挿入するだけで側板の鉛直方向の位置決めができる。
請求項２は、請求項１の前記床側嵌合部に、下端部近傍まで鉛直方向に形成された切込み部と、前記切込み部上部に略Ｖ字形に形成された開口部とが設けられ、前記側板には、外側へＬ字状に折曲した折曲片が設けられ、前記折曲片を前記開口部を案内にして前記切込み部に挿入することにより、前記側板の水平方向の位置決めをすることを特徴とする。
【００１０】
前記構成によれば、側板を床側嵌合部に挿入するだけで側板の水平方向の位置決めが可能となる。
請求項３は、請求項１の側板を１枚ずつ組み付ける場合であって、前記側板の任意の位置に、床側嵌合部と係合する補強材からなる嵌合部位置決め手段を設けたことを特徴とする。
前記構成によれば、嵌合部位置決め手段の位置に制約を受けないとともに、側板を補強できる。
【００１２】
請求項４は、請求項１〜３のいずれかの前記床側嵌合部に、側板の挿入を案内するための外側に折曲した斜面を有するガイド部を設けたことを特徴とする。
前記構成によれば、床側嵌合部に対して側板の挿入が容易となる。
【００１３】
【発明の実施の形態】
以下、この発明の各実施の形態を図面に基づいて説明する。
図１〜図３は第１の実施形態を示し、図１はかご床と側板の取付け構造を示す正面図及び縦断面図、図２はブラケットの正面図及び側面図、図３は側板の正面図及び下面図である。
【００１４】
かご床２１は、複数個の補強部を有し、この床枠２２の上面にベニア板などの床板２３を介してタイル２４が敷設されている。床枠２２の側部は略コ字状に形成され、床枠２２の側面にはブラケット取付け部２５が設けられている。このブラケット取付け部２５には上下２段に２個ずつのボルト孔２６，２７が穿設されているとともに、このボルト孔２６，２７に対応して床枠２２の内側にナット２８，２９が溶接されている。
【００１５】
ブラケット取付け部２５には床枠２２の側方からブラケット３０が取付けられている。このブラケット３０は矩形状の金属板からなり、その内側下端部には鉛直方向位置決め手段として後述する側板４０より僅かに肉厚の位置決めプレート３１が接合されている。さらに、ブラケット３０の上端部には外側へ僅かに折曲した斜面を有するガイド部３２が形成されている。
【００１６】
さらに、ブラケット３０の幅方向の中間部にはガイド部３２からブラケット３０の下端近傍まで鉛直方向に、水平方向位置決め手段を形成する切込み部３３が設けられている。この切込み部３３は後述する側板４０の肉厚の２倍より僅かに広幅であり、開口部３３ａは略Ｖ字状にカットされている。また、ブラケット３０には切込み部３３を挟んで両側部に前記ブラケット取付け部２５のボルト孔２６，２７に対応してボルト孔３４，３５が穿設され、下段のボルト孔３５は位置決めプレート３１も貫通している。
【００１７】
そして、ブラケット３０の下段のボルト孔３５にはボルト３６が挿通され、このボルト３６は床枠２２のボルト孔２７を貫通してナット２９に締め付け固定されている。従って、ブラケット取付け部２５に対してブラケット３０が固定されている。このとき、ブラケット３０の内側には位置決めプレート３１が接合しているため、ブラケット３０の上部とブラケット取付け部２５との間には位置決めプレート３１の肉厚に相当する隙間が形成され、この隙間によって床側嵌合部（以下、単に嵌合部３７という）が形成されている。
【００１８】
また、ブラケット３０の上段のボルト孔３４にはボルト３８が挿通され、このボルト３８は床枠２２のボルト孔２６を貫通してナット２８に螺合されている。従って、ボルト３８は嵌合部３７を横切る状態であり、仮止めされている。
【００１９】
一方、側板４０の下端部にはブラケット３０のボルト３８の間隔に対応し、かつボルト３８の軸部に嵌合可能な幅の逆Ｕ字状の切欠部４１が設けられている。さらに、側板４０の両端または片端には外側へＬ字状に折曲した折曲片４２が設けられている。
【００２０】
そして、かご床２１に対して複数枚の側板４０を取付ける際には、側板４０の折曲片４２相互を突合わせ、ブラケット３０の上方から突合わせた折曲片４２を切込み部３３に挿入するとともに、側板４０の下端部、つまり側板側嵌合部を床側の嵌合部３７に挿入すると、側板４０の切欠部４１がボルト３８の軸部と嵌合する。このとき、切込み部３３の開口部は略Ｖ字状にカットされているため、側板４０の突き合わされた折曲片４２を引き寄せて切込み部３３にガイドするとともに、ブラケット３０のガイド部３２によって側板４０を嵌合部３７にガイドするため、側板４０の挿入が容易に行なえる。
【００２１】
さらに、側板４４の下端部が嵌合部３７の底部を形成する位置決めプレート３１に当接すると、側板４０の鉛直方向の位置決めがなされ、折曲片４２が切込み部３３に挿入されると、側板４０の水平方向の位置決めがなされる。最後に、ボルト３８をナット２８に対して締め付けると、側板４０はブラケット３０を介して床枠２２に対して固定される。
【００２２】
本実施形態によれば、隣り合う側板４０の折曲片４２を突合わせた状態で、切込み部３３に挿入し、側板４０の下端部を嵌合部３７に挿入するという簡単な作業で、側板４０の水平方向及び鉛直方向の位置決めができる。さらに、ブラケット３０に予めボルト３８を挿通し、仮止め状態でエレベータ昇降路内に搬入でき、エレベータ昇降路内の狭いペースでボルト孔３４にボルト３８を挿入する面倒な作業が必要なく、締め付け作業だけでよいため、組み立て作業性の向上が図れる。
【００２３】
なお、前記実施形態においては、隣り合う２枚の側板４０を同時に組み立てる場合について説明したが、側板４０を１枚ずつ組み付けるようにしてもよい。
図４〜図６は第２の実施形態を示し、第１の実施形態と同一構成部分は同一番号を付して説明を省略する。図４はかご床と側板の取付け構造を示す正面図及び縦断面図、図５はブラケットの正面図及び側面図、図６は側板の正面図及び下面図である。
【００２４】
本実施形態は、側板４０の任意の位置に嵌合部位置決め手段としての補強板４３を設け、この補強板４３をブラケット３０の切込み部３３に挿入するようにしたものである。補強板４３は断面がＬ字状で、その基部４３ａが側板４０に対して溶接取付け、もしくは接着取付け等により接合され、基部４３ａから突出する立上り部４３ｂは側板４０の板面に対して垂直であり、基部４３ａの下端部はブラケット３０との干渉を避けるためにカットされている。また、ブラケット３０に設けられた切込み部３３の幅は、補強板４３が挿入できるように補強板４３の肉厚より僅かに大きく形成されている。
【００２５】
そして、かご床２１に対して複数枚の側板４０を取付ける際には、側板４０の補強板４３をブラケット３０の切込み部３３に位置決めし、補強板４３をブラケット３０の上方から切込み部３３に挿入するとともに、側板４０の下端部を嵌合部３７に挿入すると、側板４０の切欠部４１がボルト３８の軸部と嵌合する。このとき、切込み部３３の開口部は略Ｖ字状にカットされているため、補強板４３が切込み部３３にガイドされるとともに、ブラケット３０のガイド部３２によって側板４０を嵌合部３７にガイドするため、側板４０の挿入が容易に行なえる。
【００２６】
さらに、側板４０の下端部が嵌合部３７の底部を形成する位置決めプレート３１に当接すると、側板４０の鉛直方向の位置決めがなされ、補強板４３が切込み部３３に挿入されると、側板４０の水平方向の位置決めがなされる。最後に、ボルト３８をナット２８に対して締め付けると、側板４０はブラケット３０を介して床枠２２に対して固定される。
【００２７】
本実施形態によれば、側板４０の任意の位置に設けた補強板４３を切込み部３３に挿入し、側板４０の下端部を嵌合部３７に挿入するという簡単な作業で、側板４０の水平方向及び鉛直方向の位置決めができる。さらに、ブラケット３０に予めボルト３８を挿通し、仮止め状態でエレベータ昇降路内に搬入でき、エレベータ昇降路内の狭いペースでボルト孔３４にボルト３８を挿入する面倒な作業が必要なく、締め付け作業だけでよいため、組み立て作業性の向上が図れる。
【００２８】
また、側板４０に補強板４３を固定することにより、側板４０の剛性がアップするとともに、補強板４３を任意の位置に設けることができるから、かご床２１に対するブラケット３０の取付け位置が制約されないという効果がある。
【００２９】
【発明の効果】
以上説明したように、請求項１の構成によれば、側板を上方から嵌合部に挿入するだけで側板の鉛直方向の位置決めができ、かご床に対する側板の取付け時の位置決め作業が簡単で、エレベータ昇降路内の狭いスペースでの作業においても作業性の向上を図ることができる。しかも、かご室の容積が同じものにおいて、かご床寸法を小さくできるため、かご床のコストを下げることができ、エレベータ昇降路の断面積を小さくできるという効果がある。
【００３０】
請求項２の構成によれば、側板を嵌合部に挿入するだけで側板の水平方向の位置決めが可能となり、このため位置決めの作業性が一層向上する。
【００３１】
請求項３の構成によれば、嵌合部位置決め手段の位置に制約を受けないとともに、側板を補強して剛性をアップできる。
請求項４の構成によれば、嵌合部に対して側板の挿入が容易となるという効果がある。
【図面の簡単な説明】
【図１】この発明の第１の実施形態のかご床と側板の取付け構造を示す正面図及び縦断面図。
【図２】同実施形態のブラケットの正面図及び側面図。
【図３】同実施形態の側板の正面図及び下面図。
【図４】この発明の第２の実施形態のかご床と側板の取付け構造を示す正面図及び縦断面図。
【図５】同実施形態のブラケットの正面図及び側面図。
【図６】同実施形態の側板の正面図及び下面図。
【図７】従来のエレベータの乗りかごの斜視図。
【図８】同従来のかご床と側板の取付け構造を示す縦断面図。
【符号の説明】
２１…かご床
３０…ブラケット
３１…位置決めプレート
３３…切込み部
３７…嵌合部
４０…側板
【図１】
0004023924.tif 000002
【図２】
0004023924.tif 000003
【図３】
0004023924.tif 000004
【図４】
0004023924.tif 000005
【図５】
0004023924.tif 000006
【図６】
0004023924.tif 000007
【図７】
0004023924.tif 000008
【図８】
0004023924.tif 000009